(57)【要約】【課題】大きな物品も収納可能で、かつ安定して収納できる収納具を有する洗面化粧台を提供すること。【解決手段】洗面器１０と、洗面器１０を支持するキャビネット２０と、を備える洗面化粧台１において、キャビネット２０は、キャビネット２０に設けられる扉２１と、扉２１の裏面に取り付けられ、物品５を収納可能な収納空間を有する凹部３４が設けられた収納具３０と、有し、収納具３０は、凹部３４の開口の周縁部３５に形成されて凹部３４の底部３１側に向かって凹むように切り欠かれた切欠き部３６を有する、洗面化粧台１である。【選択図】図１
2020032144.tif 000002
【特許請求の範囲】
【請求項１】
洗面器と、前記洗面器を支持するキャビネットと、を備える洗面化粧台において、
前記キャビネットは、
前記キャビネットに設けられる扉と、
前記扉の裏面に取り付けられ、物品を収納可能な収納空間を有する凹部が設けられた収納具と、有し、
前記収納具は、前記凹部の開口の周縁部に形成されて前記凹部の底部側に向かって凹むように切り欠かれた切欠き部を有する、洗面化粧台。
【請求項２】
前記切欠き部は、円弧状に切り欠かれている、請求項１に記載の洗面化粧台。
【請求項３】
前記収納具は、その側面部が内側に凹んだ側面凹部を有し、
前記側面凹部は、上下方向に延び、上方ほど内側に凹んでいる、請求項１又は２に記載の洗面化粧台。
【請求項４】
前記収納具は、前記扉に対して着脱可能に取り付けられ、
前記扉の裏面には、前記収納具を係止するための突起が設けられ、
前記突起は、前記収納具の高さを調節可能に上下方向に複数配置されている、請求項１〜３いずれかに記載の洗面化粧台。
【発明の詳細な説明】
【技術分野】
【０００１】
本発明は、洗面化粧台に関する。
【背景技術】
【０００２】
従来、洗面化粧台の上部又は下部に配置させるキャビネットの内部には、洗面化粧台で使用されるドライヤー等の物品が収納される。洗面化粧台内に効率的に物品を収納するため、キャビネットの扉の裏側に、ドライヤーの収納具を取り付けることが提案されている（例えば、特許文献１参照）。特許文献１に記載の収納具では、ドライヤーの他にコテやブラシを収納できるように、仕切りが形成されている。
【先行技術文献】
【特許文献】
【０００３】
【特許文献１】特開２０１５−５４１６４号公報
【発明の概要】
【発明が解決しようとする課題】
【０００４】
近年、ドライヤー等の物品が多機能になり、大型化する場合がある。このため、収納具に仕切りが形成されていると、物品によっては、収納しきれない場合が生じていた。また、仕切りを除去した場合、物品が収納具の内部で倒れる等、安定して収納することが難しかった。
【課題を解決するための手段】
【０００５】
（１）  本発明は、洗面器（例えば、後述の洗面器１０）と、前記洗面器を支持するキャビネット（例えば、後述のキャビネット２０）と、を備える洗面化粧台（例えば、後述の洗面化粧台１）において、前記キャビネットは、前記キャビネットに設けられる扉（例えば、後述の扉２１）と、前記扉の裏面に取り付けられ、物品を収納可能な収納空間を有する凹部（例えば、後述の凹部３４）が設けられた収納具（例えば、後述の収納具３０）と、有し、前記収納具は、前記凹部の開口の周縁部（例えば、後述の周縁部３５）に形成されて前記凹部の底部（例えば、後述の底部３１）側に向かって凹むように切り欠かれた切欠き部（例えば、後述の切欠き部３６）を有する、洗面化粧台に関する。
【０００６】
（２）  前記切欠き部は、円弧状に切り欠かれていることが好ましい。
【０００７】
（３）  前記収納具は、その側面部が内側に凹んだ側面凹部（例えば、後述の側面凹部３２０）を有し、前記側面凹部は、上下方向に延び、上方ほど内側に凹んでいることが好ましい。
【０００８】
（４）  前記収納具は、前記扉に対して着脱可能に取り付けられ、前記扉の裏面には、前記収納具を係止するための突起（例えば、後述の突起２４）が設けられ、前記突起は、前記収納具の高さを調節可能に上下方向に複数配置されていることが好ましい。
【発明の効果】
【０００９】
本発明によれば、大きな物品も収納可能で、かつ安定して収納できる収納具を有する洗面化粧台を提供することができる。
【図面の簡単な説明】
【００１０】
【図１】本実施形態の洗面化粧台を示す斜視図である。
【図２】本実施形態の収納具を示す正面図である。
【図３】本実施形態の収納具を示し、（ａ）図は側面の断面図であり、（ｂ）図は上面図である。
【図４】本実施形態の収納具を示す斜視図である。
【図５】他の実施形態の収納具を示す斜視図である。
【図６】さらに他の実施形態の収納具を示す斜視図である。
【発明を実施するための形態】
【００１１】
以下、本発明の実施形態について、図面を参照しながら詳細に説明する。
図１は本実施形態の洗面化粧台１を示す斜視図である。洗面化粧台１は、洗面器１０と、洗面器１０を支持するキャビネット２０と、を有する。
【００１２】
洗面器１０は、洗面ボウル部１１と、後方壁部１２と、混合水栓１３と、排水口１４と、を有する。
洗面ボウル部１１は、湯水を貯水可能な凹部であり、底面部１１１及び底面部の周囲から起立する側面部１１２を有する。
後方壁部１２は、洗面ボウル部１１の後方の側面部から上方に向かって延出する部分であり、室内の壁等に沿って配置される。
混合水栓１３は、後方壁部１２に取り付けられ、湯水の吐水又は止水を操作する水栓レバー１３１及び湯水を洗面ボウル部１１に吐水する吐水口１３２を有する。
排水口１４は、洗面ボウル部１１の底面部１１１に配置される穴である。排水口１４は、洗面ボウル部１１の下方に延びる排水管に連結される。
【００１３】
キャビネット２０は、洗剤や掃除用具等の洗面化粧台１の近傍で使用する物品等を収納する棚である。キャビネット２０に収納する物品として、ドライヤー５が例示される。図１に示すように、ドライヤー５は、温風を送風する送風部５１と、持ち手となる柄５２とを有し、送風部５１と柄５２とが同一方向に並ぶように屈曲可能な接続部５３で接続されている。柄５２には、電源に接続するためのコード５４が取り付けられている。
【００１４】
キャビネット２０は、扉２１、背面部２２、及び一対のキャビネット側面部２３により内部に内部空間２５が形成されている。
【００１５】
扉２１は、キャビネット２０の前部に設けられ、洗面器１０の手前側の縁の下方に配置される。扉２１は、一対の板状の扉が幅方向の外側でヒンジ２１ａにより回動可能に取り付けられる板材であり、観音開きの扉である。扉２１の裏面には、後述する収納具３０を取り付ける突起２４（図２及び図３参照）が設けられる。
背面部２２は、扉２１に対向する面である。背面部２２は、建物の壁により構成されてもよい。
一対のキャビネット側面部２３は、背面部２２と扉２１とを幅方向外側で連結する側面に配置される板体である。
【００１６】
図２は、収納具３０の正面図である。図３（ａ）は、収納具３０の側面の断面図、図３（ｂ）は上面図である。
図２及び図３（ａ）に示すように、突起２４は、上下方向に間隔を開けて複数配置され、直線上に並んでいる。図３（ａ）及び図３（ｂ）に示すように、突起２４は、扉２１の裏面に差し込まれる留め具であり、扉２１に埋め込まれる軸部２４１と、扉２１から突出する頭部２４２とを有する。
【００１７】
収納具３０は、扉２１の裏面に着脱可能に取り付けられるカップ状の容器である。図２に示すように、収納具３０は、底部３１及び側面部３２により構成される凹部３４と、凹部３４の開口の周縁部３５と、周縁部３５に形成される切欠き部３６と、扉２１に係止させるための係止穴３３と、を有する。
【００１８】
底部３１は、図３（ｂ）に示すように、収納具３０の下方に位置する平坦な面である。底部３１は、半径の等しい二つの円を共通外接線でつないだコーストラック形状をしている。
【００１９】
図４は、収納具３０の斜視図である。
図４に示すように、側面部３２は、底部３１の周囲から上方に向かって起立する部分である。側面部３２は、上方に向かうにしたがって上部に形成される開口が底部３１側よりも大きくなるように傾斜している。側面部３２は、一対の半円状部３２ａと、前面側側面部３２ｂと、背面側側面部３２ｃと、側面凹部３２０と、を有する。
【００２０】
一対の半円状部３２ａは、底部３１の幅方向両側に配置される。
前面側側面部３２ｂは、収納具３０が取り付けられた状態で前面に配置され、一対の半円状部３２ａを接続する平坦な部分である。
背面側側面部３２ｃは、収納具３０が取り付けられた状態で扉２１側に配置され、一対の半円状部３２ａを接続する平坦な部分である。背面側側面部３２ｃの幅方向の中央部には、凹部３４の内側に向かって凹む側面凹部３２０が形成される。
側面凹部３２０は、図３（ａ）及び図４に示すように、側面部３２の背面側側面部３２ｃに上下方向に延びて形成されており、上方ほど内側に深く凹んでいて、下方に行くほど浅くなっている。
【００２１】
凹部３４は、底部３１と側面部３２で構成される。凹部３４は、収納具３０を形成するカップ状の容器の窪みであり、上部が開口している。凹部３４には、他の仕切り等が形成されておらず、凹部３４はドライヤー５等の物品を収納可能な一続きの単一の収納空間を有する。凹部３４内の収納空間は、例えば縦方向の寸法が横方向の寸法の２倍以上となっている。
【００２２】
周縁部３５は、凹部３４の開口の縁であり、側面部３２の上端で、側面部３２に沿って上面視で略長円形に連続する。
【００２３】
切欠き部３６は、周縁部３５に形成されて、凹部３４の底部３１側に向かって凹むように切り欠かれて形成される。切欠き部３６は、図２に示すように、側面部３２の前面側側面部３２ｂに、幅方向の一方及び他方に隣接して二つ形成されている。また、切欠き部３６は、側面部３２の半円状部３２ａに一つずつ、二つ形成されている。切欠き部３６は、円弧状に切り欠かれている。
【００２４】
係止穴３３は、側面部３２の背面側側面部３２ｃに形成される貫通孔である。係止穴３３は、収納具３０の上下方向に離れて２つ形成される。係止穴３３同士の間隔は、複数の突起２４同士の間隔と同じ距離になっている。係止穴３３は、図２に示すように、大きさの異なる円が上下につながった瓢箪状の形状をしている。
【００２５】
次に、収納具３０の取り付け方及び使用方法について説明する。
まず、図３（ａ）に示すように、上下に離れた二つの係止穴３３を、使用者の手の届きやすさに合わせて収納具３０の取り付け高さを調節する。具体的には、扉２１の裏面で四つ連続する突起２４の上方二つ、真ん中二つ、又は下方二つのいずれかに係止させる。このとき、瓢箪状の係止穴３３は、下方に位置する径の大きな穴に突起２４を挿通させた後、突起２４を径の小さな穴の方に移動させて軸部２４１に係止させ、固定する。
【００２６】
このとき、側面凹部３２０は、収納具３０の上方に向かうにしたがって内側に窪んでいるので、突起２４に係止させると、上方側の係止穴３３の方が下方の係止穴３３よりも大きく潰されて、上方側の係止穴３３の周囲に元に戻ろうとする反発力がかかる。この反発力により、突起２４と係止穴３３の周囲とが密着し、収納具３０が安定して突起２４に係止される。
【００２７】
収納具３０が突起２４に係止された状態で、収納具３０の凹部３４が、ドライヤー５を収納する収納空間となる。収納空間は、仕切等で仕切られていない。例えば、図１に示すように、大型のドライヤー５の例えば送風部５１側を収納空間に入れて、ドライヤー５の柄５２側を側面部３２の切欠き部３６に嵌めるようにして収納する。すると、柄５２側と送風部５１側の接続部５３が切欠き部３６に係止される。
【００２８】
本実施形態によれば、以下の効果が奏される。
本実施形態では、洗面器１０と、洗面器１０を支持するキャビネット２０と、を備える洗面化粧台１において、キャビネット２０を、キャビネット２０に設けられる扉２１と、扉２１の裏面に取り付けられ、ドライヤー５を収納可能な収納空間を有する凹部３４が設けられた収納具３０と、を含んで構成した。また、収納具３０を、凹部３４の開口の周縁部３５に形成されて凹部３４の底部側に向かって凹むように切り欠かれた切欠き部３６を含んで構成した。
収納具３０が扉の裏面に取り付けられ、収納具３０の凹部３４にドライヤー５を収納することで、大型のドライヤー５でも収納しやすい。また、扉２１の裏面に収納具３０を取り付けるため、キャビネット内の収納空間を広く使用することができる。また、収納具３０の周縁部３５に切欠き部３６が形成されているので、ドライヤー５の柄５２と送風部５１との接続部５３や、コード５４等を切欠き部３６に掛けることができるので、大型のドライヤー５を安定させて収納することができる。
【００２９】
本実施形態では、切欠き部３６を、円弧状に切り欠いた。切欠き部３６が円弧状であることで、ドライヤー５の接続部５３や柄５２が円筒状だった場合やコード５４等を安定して支持することができるとともに、収納具３０から取り出す際に切欠き部３６に引っ掛かることなく、出し入れがスムーズになされる。
【００３０】
本実施形態では、収納具３０を、その側面部３２が内側に凹んだ側面凹部３２０を含んで構成し、側面凹部３２０を、上下方向に延び、上方ほど内側に凹むように形成した。
上方ほど内側に凹む側面凹部３２０を、扉２１の裏面に押しつけるように力を加えると、元に戻ろうとする反発力が生じる。この反発力を利用して、例えば側面凹部３２０に係止穴３３等を設け、扉２１の突起２４に係止することで、収納具３０を確実に扉に係止させることができる。
【００３１】
本実施形態では、収納具３０を、扉２１に対して着脱可能に取り付け、扉２１の裏面に、収納具３０を係止するための突起２４を設けた。また、突起２４を、収納具３０の高さを調節可能に上下方向に複数配置した。突起２４を複数配置して、収納具３０をそのうちの一部の突起２４に係止させることにより、収納具３０の取り付け高さを自由に変更することができる。よって収納する物品の大きさや、洗面化粧台１の大きさ、高さに応じて取り付け位置を調節することができるので、利便性が高まる。
【００３２】
以上、本発明の好ましい実施形態について説明したが、本発明は、上述の実施形態に制限されるものではなく、適宜変更が可能である。
【００３３】
図５は、他の実施形態の収納具３０Ａを示す斜視図である。他の実施形態では、収納具３０Ａは、上面視横８の字型に形成されている。具体的には、前面側側面部３２ｂ及び背面側側面部３２ｃが幅方向の中央で互いに近づく方向に凹んでいる。収納具３０Ａの凹部３４が、二つの円を繋ぎ合わせたような８の字に形成されているので、一方の円の側に送風部５１を、他方の円の側に柄５２を収納することができる。
【００３４】
なお、図５に示すように、収納具３０Ａの背面側側面部３２ｃの幅方向の中央部に、凸部３２ｄが形成されている。凸部３２ｄは、背面側側面部３２ｃの最も内側に凹んだ位置から背面側に突出し、背面側が扉２１に当接可能な平坦な表面を有する。凸部３２ｄには、突起２４に係止する係止穴３３が形成され、キャビネット２０の扉２１に当接させて取り付けられる。
【００３５】
また、収納具３０Ａでは、切欠き部３６Ａは、収納具３０Ａの半円状部３２ａのみに形成されている。そして、切欠き部３６Ａの下端に、さらに下方へ延出するように切り込まれた下垂部３６１が形成されている。下垂部３６１は、切欠き部３６Ａの下端から延びる細いＵ字状の溝である。下垂部３６１には、ドライヤー５のコード５４を引っ掛けることができる。
【００３６】
図６は、さらに他の実施形態の収納具３０Ｂを示す斜視図である。さらに他の実施形態では、凹部３４はほぼ円筒形の形状をしており、凹部３４の周縁部３５Ｂは、背面側側面部３２ｃよりも前面側側面部３２ｂの方が低くなり、前面側に向かって凹部３４が開放されている。また、収納具３０Ｂの一対の半円状部３２ａにおいては、周縁部３５Ｂの幅方向の一方側は、背面側側面部３２ｃから連続して高く、他方側は、前面側側面部３２ｂから連続して低く形成されている。
【００３７】
切欠き部３６Ｂは、凹部３４の周縁部３５Ｂの幅方向の一方側で、背面側側面部３２ｃから連続する背の高い部分に一つ形成されている。切欠き部３６Ｂを利用して、ドライヤー５の接続部５３等を架けることができる。
【００３８】
また、収納具３０Ｂには、ドライヤー５のコード５４を収納するコード収納具３７を有している。
コード収納具３７は、切欠き部３６Ｂにおける使用時の前方側の周縁部３５Ｂに設けられる径の小さな円筒状の部材である。コード収納具３７のように、収納具３０Ｂの凹部３４に、柄５２やコード５４を保持する部材を別途取り付けることによっても、ドライヤー５を安定して収納することができる。コード収納具３７は、収納具３０Ｂの凹部３４側と一体に繋がっていても、別体で取り付けられてもよい。
【００３９】
なお、これらの実施形態では、切欠き部は半円状等に形成されているが、切欠き部の形状は限定されない。切欠き部は、Ｖ字状であってもよく、逆さの台形のように下辺が水平方向に延びていてもよい。
【００４０】
また、収納具３０に収納する物品は、ドライヤー５に限られない。洗剤やスプレー缶等、使用者にとって利便性のある物品を収納してよい。
また、収納具は、大型のドライヤーも収納可能な程度の仕切りのない収納空間を有しているので、ドライヤー以外にも洗剤や整髪料等のボトルやチューブ等の複数の物品を同時に収納してもよい。
【００４１】
実施形態においては、扉として、観音開きの扉を例示したが、これに限られない。例えば、収納空間を構成する部材を、スライドさせて、引き出したり、押し込んだりするように構成された場合、本願においては当該部材も扉に含まれる。
【符号の説明】
【００４２】
１      洗面化粧台
１０    洗面器
２０    キャビネット
２１    扉
２４    突起
３０    収納具
３１    底部
３２    側面部
３４    凹部
３５    周縁部
３６    切欠き部
３２０  側面凹部
【図１】
2020032144.tif 000003
【図２】
2020032144.tif 000004
【図３】
2020032144.tif 000005
【図４】
2020032144.tif 000006
【図５】
2020032144.tif 000007
【図６】
2020032144.tif 000008